(57)【特許請求の範囲】
【請求項１】
被保持部材である基板を保持するための板状の壁部と、
前記壁部の一部を屈曲させることにより形成され、前記基板の端部が係止される基板係止部と、
を備えた基板保持装置であって、
前記基板係止部は、前記壁部と平行に延びている第１平面部と、前記基板と平行に延びている第２平面部と、前記第１平面部と前記第２平面部との間に設けられている屈曲部とを備え、
前記屈曲部は、Ｒ形状を有し、
前記第１平面部の両側には、前記屈曲部の両側からそれぞれ前記第１平面部に沿って延びるスリット部が設けられ、
前記第１平面部には、凸形状または凹形状の補強部が設けられており、
前記補強部は、前記第１平面部の両側に前記スリット部が存在するスリット有り領域から、前記第１平面部の両側に前記スリット部が存在しないスリット無し領域まで延び、
前記第１平面部の一方の側に設けられた前記スリット部の長さと、前記第１平面部のもう一方の側に設けられた前記スリット部の長さが、それぞれ異なる長さになるように設定され、
一つの前記壁部には、前記基板の一辺の二つの端部がそれぞれ係止される二つの前記基板係止部が設けられており、
前記一辺の中央部側に設けられた前記スリット部の長さが、前記一辺の端部側に設けられた前記スリット部の長さより、長くなるように設定されていることを特徴とする基板保持装置。
【発明の詳細な説明】
【技術分野】
【０００１】
本発明は、基板を保持する基板保持装置に関し、特に、振動耐久性を向上させる技術に関するものである。
【背景技術】
【０００２】
従来から、多くの電子機器（オーディオ装置など）に、電子回路を設けた基板（プリント配線基板など）が備えられているが、その中には、電子機器のシャーシの底面から離れた位置に基板が保持されるものがある。例えば、基板が２段で備えられる場合には、１段目の基板（下段の基板）は、電子機器のシャーシの底部に固定され、２段目の基板（上段の基板）は、電子機器のシャーシの壁部に保持される。従来、そのような基板保持構造の一つとして、壁面の一部を屈曲させることによって取付片を形成し、その取付片に基板を保持させるものが提案されている（例えば、特許文献１参照）。
【先行技術文献】
【特許文献】
【０００３】
【特許文献１】特開平７−２９７５７２号公報
【発明の概要】
【発明が解決しようとする課題】
【０００４】
しかしながら、従来の基板保持構造では、壁面の一部を屈曲させて取付片を形成する曲げ加工の際に、屈曲部に鋭い治具（加工用治具）を当てて壁面の一部を直角に屈曲させる。その場合、直角に曲げられた屈曲部に集中応力がかかるという問題があった。また、曲げ加工の際に屈曲部に傷がつくと、その傷によって屈曲部に破断が発生しやすくなるという問題があった。
【０００５】
特に、電子機器が振動条件下で用いられる場合（例えば、自動二輪車などに搭載されるオーディオ機器などの場合）に、高い振動耐久性が必要とされるが、直角に曲げられた屈曲部では集中応力がかかり、振動耐久力が低くなるという問題があった。また、曲げ加工の際に傷がついた屈曲部では、傷に起因した破断が発生するおそれがあり、さらに振動耐久性が低下するという問題があった。
【０００６】
本発明は、上記従来の問題を解決するためになされたもので、高い振動耐久性が得られる基板保持装置を提供することを目的とする。
【課題を解決するための手段】
【０００７】
本発明の基板保持装置は、被保持部材である基板を保持するための板状の壁部と、前記壁部の一部を屈曲させることにより形成され、前記基板の端部が係止される基板係止部と、を備えた基板保持装置であって、前記基板係止部は、前記壁部と平行に延びている第１平面部と、前記基板と平行に延びている第２平面部と、前記第１平面部と前記第２平面部との間に設けられている屈曲部とを備え、前記屈曲部は、Ｒ形状を有した構成を有している。
【０００８】
この構成により、被保持部材である基板が、基板係止部に係止されて保持される。基板係止部は、板状の壁部の一部を屈曲して形成されており、具体的には、第１平面部と第２平面部と屈曲部から構成される。第１平面部は、壁部と平行に延びている（すなわち、壁部から連続するように延びている）。また、第２平面部は、基板と平行に延びている（すなわち、基板を支持するように延びている）。そして、第１平面部と第２平面部との間には、Ｒ形状（丸角形状）の屈曲部が形成されている。本発明では、屈曲部をＲ形状としているので、屈曲部の曲げ加工（板金の曲げ加工）をする際に、屈曲部に傷がつきにくい。したがって、長時間の振動条件下であっても屈曲部で破断（傷に起因する破断）が発生するのを抑えることができ、振動耐久性を向上させることができる。
【０００９】
また、本発明の基板保持装置は、前記第１平面部の両側には、前記屈曲部の両側からそれぞれ前記第１平面部に沿って延びるスリット部が設けられた構成を有している。
【００１０】
この構成により、屈曲部の両側にスリット部が設けられているので、屈曲部にかかる応力を分散させることができる。すなわち、従来のように屈曲部の両側にスリット部が設けられていない場合には、曲げ加工の際の応力が屈曲部に集中してしまうのに対して、本発明では、屈曲部の両側にスリット部が設けられているので、曲げ加工の際の応力を分散させることができる。
【００１１】
また、本発明の基板保持装置は、前記第１平面部には、凸形状または凹形状の補強部が設けられており、前記補強部は、前記第１平面部の両側に前記スリット部が存在するスリット有り領域から、前記第１平面部の両側に前記スリット部が存在しないスリット無し領域まで延びた構成を有している。
【００１２】
この構成により、第１平面部に設けられた補強部によって、第１平面部の剛性を補うことができる。すなわち、第１平面部の両側にスリット部が設けられると、第１平面部の剛性が低下してしまうことになるが、この場合、補強部によって第１平面部の剛性を向上させることができる。
【００１３】
また、本発明の基板保持装置は、前記第１平面部の一方の側に設けられた前記スリット部の長さと、前記第１平面部のもう一方の側に設けられた前記スリット部の長さが、それぞれ異なる長さになるように設定された構成を有している。
【００１４】
この構成により、第１平面部の両側に設けられたスリット部の長さが、それぞれ異なる長さになるように設定されている。したがって、基板保持の設計等に応じて、スリット部の長さを異ならせて、第１平面部の両側で剛性の高さを異ならせることができる。
【００１５】
また、本発明の基板保持装置は、一つの前記壁部には、前記基板の一辺の二つの端部がそれぞれ係止される二つの前記基板係止部が設けられており、前記一辺の中央部側に設けられた前記スリット部の長さが、前記一辺の端部側に設けられた前記スリット部の長さより、長くなるように設定された構成を有している。
【００１６】
この構成により、一つの壁部に、基板の一辺の二つの端部がそれぞれ係止される二つの基板係止部が設けられる。そして、基板の一辺の中央部側（内側）に設けられたスリット部の長さが、基板の一辺の端部側（外側）に設けられたスリット部の長さより、長くなるように設定されている。二つの基板係止部で基板の一辺を保持（支持）すると、第１平面部の内側に応力（負荷）が集中することになるが、この場合、内側のスリット部を長くしてあえて剛性を低くすることにより、第１平面部の外側まで応力（負荷）を分散させることができる。
【発明の効果】
【００１７】
本発明は、壁部に形成される基板係止部の屈曲部をＲ形状とすることにより、振動耐久性を向上させることができるという効果を有する基板保持装置を提供することができるものである。
【図面の簡単な説明】
【００１８】
【図１】本発明の実施の形態における基板保持装置の構成を説明するための斜視図
【図２】本発明の実施の形態における基板保持装置の要部を拡大した斜視図
【図３】本発明の実施の形態における基板保持装置の要部の断面図
【図４】本発明の実施の形態における基板保持装置の構成を説明するための正面図
【発明を実施するための形態】
【００１９】
以下、本発明の実施の形態の基板保持装置について、図面を用いて説明する。本実施の形態では、自動二輪車などに搭載されるオーディオ機器等に用いられる基板保持装置の場合を例示する。
【００２０】
本発明の実施の形態の基板保持装置の構成を、図１〜図４を参照して説明する。図１に示すように、本実施の形態の基板保持装置１は、薄板の鋼板で構成されるシャーシ２（筐体）と、シャーシ２によって保持される被保持部材である基板３を備えている。基板３は、例えば、種々の電子部品が実装されたプリント配線基板である。シャーシ２は、底板４と、底板４の両端から立設される一対の壁板５を備えている。底板４の形状は、略四角形状であり、基板３の形状も、底板４の形状と略同じ形状（略四角形状）である。一対の壁板５には、基板３の両端部（基板３の対向する二つの辺）が保持される。この壁板５が、本発明の壁部に相当する。
【００２１】
壁板５には、基板３の端部が係止される基板係止部６が設けられる。この基板係止部６は、壁板５の一部を屈曲させることによって形成される。以下、図２〜図４を参照しながら、基板係止部６の構成について詳しく説明する。図２に示すように、基板係止部６は、壁板５と平行な第１平面部７と、基板３と平行な第２平面部８と、第１平面部７と第２平面部８との間に設けられる屈曲部９を備えている。この場合、基板係止部６の第２平面部８によって、基板３が保持される。なお、本実施の形態では、第２平面部８にねじ穴１０が設けられており、このねじ穴１０にねじ１１を螺着することによって、基板係止部６に基板３が固定される（図１参照）。
【００２２】
屈曲部９は、壁板５の一部を屈曲させる曲げ加工によって形成され、図３に示すように、側面視でＲ形状（丸角形状）を有している。ここでは、特に図示しないが、この曲げ加工では、丸角の治具（加工用治具）が用いられる。すなわち、屈曲部９に丸角の治具を当てて壁板５の一部を屈曲させる。このようにして、Ｒ形状（丸角形状）の屈曲部９が形成される。
【００２３】
また、図２および図４に示すように、第１平面部７の両側には、スリット部１２が設けられている。このスリット部１２は、屈曲部９の両側からそれぞれ第１平面部７に沿って延びている。また、第１平面部７には、凸形状または凹形状の補強部１３が設けられている。この補強部１３は、第１平面部７の両側にスリット部１２が存在するスリット有り領域から、第１平面部７の両側にスリット部１２が存在しないスリット無し領域まで延びている。この場合、補強部１３は、平面視で小判型（長円形状）を有している。なお、この補強部１３は、絞り加工によって形成される。
【００２４】
また、第１平面部７の一方の側に設けられたスリット部１２の長さと、第１平面部７のもう一方の側に設けられたスリット部１２の長さが、それぞれ異なる長さになるように設定されている。この場合、一つの壁部に、基板３の一辺の二つの端部がそれぞれ係止される二つの基板係止部６が設けられており、一辺の中央部側（図４における内側）に設けられたスリット部１２の長さが、一辺の端部側（図４における外側）に設けられたスリット部１２の長さより、長くなるように設定されている。
【００２５】
このような本実施の形態の基板保持装置１によれば、壁板５に形成される基板係止部６の屈曲部９をＲ形状とすることにより、振動耐久性を向上させることができる。
【００２６】
すなわち、本実施の形態では、図１に示すように、被保持部材である基板３が、基板係止部６に係止されて保持される。図２に示すように、基板係止部６は、壁板５の一部を屈曲して形成されており、具体的には、第１平面部７と第２平面部８と屈曲部９から構成される。第１平面部７は、壁板５と平行に延びている（すなわち、壁板５から連続するように延びている）。また、第２平面部８は、基板３と平行に延びている（すなわち、基板３を支持するように延びている）。そして、第１平面部７と第２平面部８との間には、Ｒ形状の屈曲部９が形成されている（図３参照）。本実施の形態では、屈曲部９をＲ形状としているので、屈曲部９の曲げ加工（板金の曲げ加工）をする際に、屈曲部９に傷がつきにくい。したがって、長時間の振動条件下であっても屈曲部９で破断（傷に起因する破断）が発生するのを抑えることができ、振動耐久性を向上させることができる。
【００２７】
また、本実施の形態では、屈曲部９の両側にスリット部１２が設けられているので、屈曲部９にかかる応力を分散させることができる。すなわち、従来のように屈曲部９の両側にスリット部１２が設けられていない場合には、曲げ加工の際の応力が屈曲部９に集中してしまうのに対して、本発明では、屈曲部９の両側にスリット部１２が設けられているので、曲げ加工の際の応力を分散させることができる。
【００２８】
さらに、本実施の形態では、第１平面部７に設けられた補強部１３によって、第１平面部７の剛性を補うことができる。すなわち、第１平面部７の両側にスリット部１２が設けられると、第１平面部７の剛性が低下してしまうことになるが、この場合、補強部１３によって第１平面部７の剛性を向上させることができる。
【００２９】
また、本実施の形態では、図４に示すように、第１平面部７の両側に設けられたスリット部１２の長さが、それぞれ異なる長さになるように設定されている。したがって、基板保持の設計等に応じて、スリット部１２の長さを異ならせて、第１平面部７の両側で剛性の高さを異ならせることができる。
【００３０】
この場合、一つの壁板５に、基板３の一辺の二つの端部がそれぞれ係止される二つの基板係止部６が設けられる。そして、基板３の一辺の中央部側（図４における内側）に設けられたスリット部１２の長さが、基板３の一辺の端部側（図４における外側）に設けられたスリット部１２の長さより、長くなるように設定されている。二つの基板係止部６で基板３の一辺を保持（支持）すると、第１平面部７の内側に応力（負荷）が集中することになるが、この場合、内側のスリット部１２を長くしてあえて剛性を低くすることにより、第１平面部７の外側まで応力（負荷）を分散させることができる。
【００３１】
以上、本発明の実施の形態を例示により説明したが、本発明の範囲はこれらに限定されるものではなく、請求項に記載された範囲内において目的に応じて変更・変形することが可能である。
【００３２】
例えば、以上の説明では、第１平面部７の両側に設けられたスリット部１２の長さが、それぞれ異なる長さになるように設定されている例について説明したが、本発明の範囲はこれに限定されるものではなく、第１平面部７の両側に設けられたスリット部１２の長さは、それぞれ同じ長さになるように設定されていてもよい。
【００３３】
また、以上の説明では、補強部１３が小判型（長円形状）である例について説明したが、補強部１３の形状はこれに限定されるものではない。また、以上の説明では、１つの基板保持部につき１つの補強部１３が設けられる例について説明したが、１つの基板保持部につき複数の補強部（例えば、より細長い形状の補強部）が並んで設けられてもよい。
【産業上の利用可能性】
【００３４】
以上のように、本発明にかかる基板保持装置は、振動耐久性を向上させることができるという効果を有し、自動二輪車などに搭載されるオーディオ機器等に適用され、有用である。
【符号の説明】
【００３５】
１  基板保持装置
２  シャーシ
３  基板
４  底板
５  壁板（壁部）
６  基板係止部
７  第１平面部
８  第２平面部
９  屈曲部
１０  ねじ穴
１１  ねじ
１２  スリット部
１３  補強部
【図１】
0005647015.tif 000002
【図２】
0005647015.tif 000003
【図３】
0005647015.tif 000004
【図４】
0005647015.tif 000005